【手続補正書】
【提出日】平成19年5月11日(2007.5.11)
【手続補正１】
【補正対象書類名】特許請求の範囲
【補正対象項目名】請求項２５
【補正方法】変更
【補正の内容】
【請求項２５】
上記インナ側筒部の端部におけるアウタ側および上記アウタ側筒部の端部におけるインナ側のうちの少なくとも一方の部分には、面取り部が形成されている、請求項１３ないし２４のいずれかに記載の穿刺装置。
【手続補正２】
【補正対象書類名】明細書
【補正対象項目名】００３８
【補正方法】変更
【補正の内容】
【００３８】
キャップ３における筒部３２の外周面３２ｂの輪郭（後述する凸部３４を除外した基礎輪郭）は、真円である。したがって、図４（ｂ）に示すように、筒部３２の各部の厚みは不均一であり、短軸Ｓａの延長線上部分の厚みｔ１は厚めであるのに対し、長軸Ｓｂの延長線上部分の厚みｔ２はそれよりも薄くなっている。筒部３２の外径Ｄ１は、ハウジング１の筒部１２に隣接した領域１４の外径Ｄ２と略同一とされている（図２参照）。
【手続補正３】
【補正対象書類名】明細書
【補正対象項目名】００５４
【補正方法】変更
【補正の内容】
【００５４】
図５（Ａ）および図５（ｂ）に示すように、イジェクタ９を前進させた場合には、第１作用部９１ｂによってランセット２が前方Ｆｒに押圧されてランセットホルダ４からランセット２が取り外される。このときに、操作部９１ａの前面（第２作用部）９１ｃがキャップ３の第１の支持部７Ａに当接し、イジェクタ９によって第１の支持部７Ａが前方Ｆｒに押される。これにより、キャップ３は、イジェクタ９によって前方Ｆｒに向けた力が作用させられてハウジング１から外れる。したがって、穿刺装置Ａでは、ランセット２とキャップ３とのそれぞれの取り外しを１つの操作で同時に行なうことが可能となり、便利となる。とくに、第１の支持部７Ａは、上記したように、紐８を接続するための部分であり、この第１の支持部７Ａがキャップ３の取り外しも有効に利用されているため、合理的である。
【手続補正４】
【補正対象書類名】明細書
【補正対象項目名】００５５
【補正方法】変更
【補正の内容】
【００５５】
また、使用済みのランセット２の交換に際しては、図２に示すように、キャップ３をハウジング１から取り外した場合には、このキャップ３は紐８を介してハウジング１に繋がれたままである。したがって、ユーザがキャップ３を誤って落とすなどして、キャップ３を紛失し、あるいは損傷させてしまうといった虞れを無くすことができる。キャップ３は、血液が付着するなどして汚れを生じる場合があり、この場合にはハウジング１から取り外して洗浄する必要がある。このような場合にも、キャップ３は紐８を介してハウジング１に繋がれたままであるから、やはり紛失などを生じる可能性は少ない。とくに、イジェクタ９によってキャップ３を取り外す構成を採用した場合には、ユーザがキャップ３を摘んでハウジング１からキャップ３を取り外す場合に比べてキャップ３を紛失する虞れが大きくなる。そのため、キャップ３をハウジング１に対して紐８を介して繋げることは、イジェクタ９を利用してキャップ３を取り外す構成において有用である。
【手続補正５】
【補正対象書類名】明細書
【補正対象項目名】００５６
【補正方法】変更
【補正の内容】
【００５６】
この穿刺装置Ａにおいては、筒部１２の外周面１２ｂと筒部３２の内周面３２ａとの輪郭を真円と楕円との組み合わせにしており、また係合用凹溝１３は環状に形成されているために、筒部１２に対して筒部３２をどのように回転させた姿勢であっても、それらを適切に嵌合させ、また係合用凹溝１３に係合用凸部３３を係合させることができる。したがって、ハウジング１に対してキャップ３を所定の姿勢にしなければ、それらの装着ができなくなるといった不便さは、無い。筒部３２の外周面３２ｂは、ハウジング１の筒部１２に隣接する領域１４と略同一径の真円である。したがって、ハウジング１にキャップ３を装着したときには、それら外周面３２ｂと領域１４の外周面とを略面一状として、それらの繋ぎ目部分に大きな段差を生じないようにし、外観体裁を良好にすることもできる。また、上記繋ぎ目部分に大きな段差があると、この部分に他の物品などが引っ掛かりを生じて、キャップ３がハウジング１から外れる虞れもあるが、このような虞れも無くなる。
【手続補正６】
【補正対象書類名】明細書
【補正対象項目名】００７７
【補正方法】変更
【補正の内容】
【００７７】
このような構成によれば、キャップ３をハウジング１に相対させて矢印Ｎ２方向に回転させた場合に、これに伴わせて接続部材８Ｄをハウジング１に相対させてその軸心周りに回転させることができる。したがって、たとえばキャップ３とハウジング１との嵌合部分にネジ部を形成し、キャップ３を回転させることによってハウジング１に対して螺合装着させるような構造を採用した場合であっても、好適に対処することができる。接続部材８Ｄのアーム部８５ｂは、可撓性を有しているために、キャップ３の位置変更や姿勢変更が可能である。また、アーム部８５ｂの端部８５ｂ′が第１の支持部７Ａによって球面摺動自在に保持されているために、アーム部８５ｂに対してキャップ３を種々の角度に変更させることができ、その分だけアーム部８５ｂを大きく撓ませる必要がなくなる。このことにより、アーム部８５ｂに大きな応力が生じないようにし、アーム部８５ｂの撓み変形の繰り返しによる破損などを好適に防止し得る効果が得られる。
【手続補正７】
【補正対象書類名】明細書
【補正対象項目名】００８９
【補正方法】変更
【補正の内容】
【００８９】
Ａ，Ａ′  穿刺装置
１  ハウジング
１２  （ハウジングの）筒部（インナ側筒部）
１２ｂ  （筒部の）外周面（インナ側筒部の外周面）
１３  （ハウジングの）係合用凹溝
１４  （ハウジングの）領域
２  ランセット（穿刺部材）
３  キャップ
３１  （キャップの）開口部
３２  （キャップの）筒部（アウタ側筒部）
３２ａ  （筒部の）内周面（アウタ側筒部の内周面）
３２ｂ  （筒部の）外周面（アウタ側筒部の外周面）
３３  （キャップの）係合用凸部
３４  凸部（目印）
４  ランセットホルダ
５  操作キャップ
７Ａ  第１の支持部
７Ｂ  第２の支持部
７０  （第１の支持部の）孔部
７２  （第２の支持部の）孔部
８  紐（接続部材）
８Ａ〜８Ｄ  接続部材
９１  イジェクタ（可動体）
９１ａ  （イジェクタの）操作部
９１ｂ  （イジェクタの）第１作用部（追加の作用部）
９１ｃ  （イジェクタの）第２作用部（作用部）
【手続補正８】
【補正対象書類名】図面
【補正対象項目名】図２
【補正方法】変更
【補正の内容】
【図２】
2005000653.tif 000001
【手続補正９】
【補正対象書類名】図面
【補正対象項目名】図３
【補正方法】変更
【補正の内容】
【図３】
2005000653.tif 000002
【手続補正１０】
【補正対象書類名】図面
【補正対象項目名】図６
【補正方法】変更
【補正の内容】
【図６】
2005000653.tif 000003
【手続補正１１】
【補正対象書類名】図面
【補正対象項目名】図１２
【補正方法】変更
【補正の内容】
【図１２】
2005000653.tif 000004
【手続補正１２】
【補正対象書類名】図面
【補正対象項目名】図１４
【補正方法】変更
【補正の内容】
【図１４】
2005000653.tif 000005